(57)【要約】      （修正有）【課題】ウォールパーティションを簡単に固定できる外形要素を提供する。【解決手段】少なくとも１つのウォールパーティション、特に少なくとも１つのドライウォールプラスターボードパーティションを支持するための外形要素であって、ウェブ１２、第１フランジ１０および第２フランジ１１を含み、ウォールセクションを固定するための、特にプラスターボードを固定するための、少なくとも１つの追加の固定面１６、１７を有する外形要素とする。【選択図】図４
2020172852.tif 000002
【特許請求の範囲】
【請求項１】
少なくとも１つのウォールパーティション、特に少なくとも１つのドライウォールプラスターボードパーティションを支持するための外形要素であって、ウェブ（１２）、第１フランジ（１０）および第２フランジ（１１）を含み、ウォールセクションを固定するための、特にプラスターボードを固定するための、少なくとも１つの追加の固定面（１６、１７）が提供される、前記外形要素。
【請求項２】
少なくとも１つの追加の固定面（１６）が、ウェブ（１２）上に提供される、および／または、少なくとも１つの追加の固定面（１７）が、第１フランジ（１０）および／または第２フランジ（１１）の遠位端に提供されることを特徴とする、請求項１に記載の外形要素。
【請求項３】
少なくとも１つの固定面（１６、１７）が、平坦である、および／または、第１および／または第２フランジに平行である、および／または、ウェブ（１２）に垂直であることを特徴とする、請求項１または２に記載の外形要素。
【請求項４】
外形要素が、Ｃ外形要素、Ｕ外形要素またはＩ外形要素であることを特徴とする、請求項１〜３のいずれか一項に記載の外形要素。
【請求項５】
少なくとも１つの第１（１６）および少なくとも１つの第２（１７）固定面が提供される、好ましくは、第１固定面（１６）がウェブ（１２）上に提供され、第２固定面（１７）が第１および／または第２フランジの遠位端（１９）に提供される、および／または、
好ましくは第１（１６）および第２（１７）固定面が互いに平行である、さらに好ましくは同一平面であることを特徴とする、請求項１〜４のいずれか一項に記載の外形要素。
【請求項６】
少なくとも１つの固定面（１６、１７）を画定するタブ部分（１４）が形成されるように、好ましくは、切り抜かれた部分が保守用切り抜きおよび／または例えば電力および／または信号線などの引き出し線を通すのに適するように、外形要素の一部分、特にウェブ（１２）が切り抜かれて折り曲げられることを特徴とする、請求項１〜５のいずれか一項に記載の外形要素。
【請求項７】
少なくとも１つの固定面を画定する突出部（２３）が形成されるように、外形要素の一部分、特にウェブ（１２）が圧延されることを特徴とする、請求項１〜６のいずれか一項に記載の外形要素。
【請求項８】
外形要素が、一体成型体および／または金属、特にアルミニウムおよび／またはアルミニウム合金および／または鋼外形要素であることを特徴とする、請求項１〜７のいずれか一項に記載の外形要素。
【請求項９】
少なくとも１つの固定面（１６、１７）と、第１または第２フランジとの距離（２９）が、５〜３０ｍｍ、特に１０〜２０ｍｍ、特に１２．５ｍｍであることを特徴とする、および／または、外形要素が、５０ｃｍ〜４００ｃｍの長さを有することを特徴とする、および／または、外形要素が、３０〜２００ｍｍ、好ましくは５０〜１００ｍｍの最大幅を有することを特徴とする、および／または、少なくとも１つの固定面（１６、１７）が、１５〜４０ｍｍ、特に２０〜３０ｍｍ、好ましくは２５ｍｍの最大幅を有することを特徴とする、および／または、  外形要素が、０．３ｍｍ〜２ｍｍの厚さを有することを特徴とする、請求項１〜８のいずれか一項に記載の外形要素。
【請求項１０】
請求項１〜９のいずれか一項に記載の外形要素の製造方法であって、
ａ）予備的フランジおよび予備的ウェブを含む、予備的外形要素を提供するステップ；
ｂ）予備的外形要素上、特にウェブ（１２）上および／または少なくとも１つのフランジ（１０、１１）の遠位端（１９）に、少なくとも１つの追加の固定面（１６、１７）を形成するステップを含む、前記方法。
【請求項１１】
ステップｂ）が、少なくとも１つの固定面（１６、１７）を形成するために、予備的外形要素の一部分、特に予備的ウェブを圧延することを含む、および／または、
ステップｂ）が、固定面（１６、１７）を形成するために、予備的外形要素の一部分、特にウェブ（１２）を切り抜き、切り抜かれた部分を折り曲げることを含むことを特徴とする、請求項１０に記載の方法。
【請求項１２】
外形要素の少なくとも一部分が、圧延および／または切り抜きによって形成されることを特徴とする、請求項１０または１１に記載の方法。
【請求項１３】
請求項１〜９に記載の、および／または、請求項１０〜１２に記載の方法によって製造される、外形要素、ならびに、少なくとも１つのウォールセクション、特に、少なくとも１つの固定面（１６、１７）および／または第１（１０）または第２（１１）フランジに固定される、少なくとも１つのプラスターボードを含む、システム。
【請求項１４】
少なくとも１つの固定面（１６、１７）と、第１または第２フランジ（１０、１１）との間の距離（２９）が、ウォールセクション、特にプラスターボードの厚さ（２８）に対応することを特徴とする、請求項１３に記載のシステム。
【発明の詳細な説明】
【技術分野】
【０００１】
本発明は、少なくとも１つのウォールパーティション、特に少なくとも１つのドライウォールプラスターボードパーティションのための外形要素、外形要素を製造するための方法、ならびに、外形要素および少なくとも１つのウォールセクション、特にプラスターボードを含むシステムに関する。
【背景技術】
【０００２】
WO2008/087009 A1号公報は、例えば軽量二重ウォールの組み立てのために使用される外形要素を説明している。かかる外形要素は、（主に）縦軸方向における力を吸収および伝える、（垂直面指向の）支持構成部分（スタッド（studs））であってもよい。従来の外形要素は、ウェブによって接続される２つのフランジセクションを含む、ＣまたはＵ形状を有する。ウォールセクション、例えば石膏プラスターボードは、通常フランジ領域に固着（ねじ込み、リベット接続、釘打ち、または、いくつかの他の手段で固定）される。いくつかの状況においては、例えば、固定具（fixings）（例えば、フラットスクリーンＴＶおよび／または食器棚のための金具）を支持するために、（パーティション内に）横木（noggin）または当て板（pattress）が要求されるウォールシステムを補強することが必要である。パーティションボード、特にドライウォールプラスターボードパーティションを、係る要求に適応させることは、現在では、非常に面倒で複雑である。
【０００３】
本発明の目的は、ウォールパーティション、特にドライウォールプラスターボードパーティションを、ＴＶまたは食器棚などの重量インテリア用の支持固着の要求に適応させるための簡単な構造を提供することにある。
【０００４】
少なくとも１つのボードパーティション、特に少なくとも１つのドライウォールプラスターボードパーティションを支持するための、本発明に係る外形要素は、ウェブ、第１フランジおよび第２フランジを含み、少なくとも１つの追加の固定面が、（補助的）ウォールセクションを固定するために、特に（補助的）プラスターボードを固定するために提供される。
【０００５】
本発明の核となるアイデアは、ウォールパーティションを支持するためのさらなる可能性を提供するために、外形要素自体を使用することである。従来の外形要素において、フランジは固定面を画定する。本発明によれば、外形要素のフランジに追加して、分離された（追加の）固定面が提供される。したがって、例えば、合板（plywood）または比較的硬いプラスターボードを組み立て体に挿入することによって、ウォールパーティション、特にドライウォールプラスターボードパーティションを、（簡単なやり方で）補強することができる。
【０００６】
正確には、この強化手段（例えば、合板または硬いプラスターボード）は、追加の固定面に固定される。具体的には、強化手段の境界（例えば、強化プレートの境界）は、（例えば、ねじ、ボルトまたは同様のものを介して）追加の固定面に固定することができる。固定面は外形要素の一部分であるため、支持プレート（例えば、合板または石膏ボード）のセクションを固定するための任意の追加のブラケット（bracketry）または切り欠き（notching）は不要である。
【０００７】
好ましくは、固定面は平坦である。したがって、任意のインテリア（例えば、ＴＶまたは高位置食器棚）のための支持構造を、外形要素に固着することが非常に簡単である。好ましくはオフセットが、第１フランジと追加の固定面との間に提供される。第１フランジおよび追加の固定面は、特にステップおよび／または第１フランジおよび／または追加の固定面に対して４５°〜１３５°（例えば９０°）の角度を有するさらなる面によって、（構造的に）分離されてもよい。
【０００８】
少なくとも１つの追加の固定面が、ウェブ上に提供されてもよい。代替的または追加的に、少なくとも１つの追加の固定面が、第１フランジの遠位端に提供されてもよい。代替的または追加的に、少なくとも１つの追加の固定面が、第２フランジの遠位端に提供されてもよい。好ましくは、少なくとも２つの追加の固定面がウェブ（または、第１または第２フランジ）上に提供される。
【０００９】
少なくとも２つの追加の固定面は、平行に（例えば互いにまたはオフセットして同一平面を成すように）並べられてもよい。例えば、ウェブ上に２つの固定面を有するのが好ましく、２つの固定面は、外形要素の幅方向に対して（＝ウェブの幅によって画定される方向に対して）異なる位置に配置される。したがって、２つの支持構造を外形要素の両側上に提供することができる。
【００１０】
好ましい実施態様において、固定面は平坦である。固定面は、好ましくは第１および／または第２フランジに平行であり、および／または、ウェブに垂直である。用語“平行”および“垂直”は、０°または９０°程度として理解されてもよい。しかしながら、特定の実施態様において、角度０°または９０°から１０°の逸脱は許容できる。したがって、支持（補助的）ボードは、簡単に固定できる。
異なる実施態様において、外形要素は、Ｃ形状、Ｕ形状またはＩ形状を有する。他の幾何学的構造も可能である。
【００１１】
好ましくは少なくとも１つの第１および第２固定面が提供される。第１固定面は、ウェブ上に提供されてもよい。第２固定面は、第１および／または第２フランジの遠位端に提供されてもよい。少なくとも１つの第１および少なくとも１つの第２固定面は、互いに平行、好ましくは同一平面を成してもよい。したがって、支持（補助的）ボードは、２つの近接した外形要素の固定面を利用することによって、２つの近接した外形要素の間に固着することができる。これは、支持（補助的）ボードの固着を簡単にする。
【００１２】
１つの実施態様において、外形要素の（特にウェブの）一部分は、少なくとも１つの固定面を画定するタブ部分が形成されるように、半径方向に切り抜かれて折り曲げられる。概して、固定面は、（例えば長方形の）突出部によって形成されてもよい。外形要素の一部分が、切り抜いて折り曲げられる場合、それは外形要素（特にウェブ）からのヒンジ接続であり得、したがって、支持（補助的）ボードのための固着ポイントを提供する。かかる構造は、比較的高い安定性を簡単に生成および提供する。
【００１３】
好ましくは切り抜き部分は、保守用（例えば、信号および／または電力線などの設置のための）の切り抜きとして使用される。このような場合、切り抜き部分は、２つの（完全に）異なる機能を務めるため、外形要素の構造を簡単にする。概して、本発明は、固定面を提供するための、および、好ましくは切り抜きとしての、および／または、好ましくは（信号および／または電力）線などの設置のための（特に上記の様な）外形要素の切り抜きの使用を（独立した態様として）含む。
【００１４】
高度の安定性を達成するために、少なくとも１つの固定面を画定する突出部が形成されるように、外形要素の（特にウェブの）一部分を圧延してもよい。結果的に、突出部は外形要素の折り畳み部分によって接続される、外形要素の２つの隣接したレイヤーから成ってもよい。固定面は、外形要素の長さ全体に沿って延伸してもよい。いずれの場合であっても、固定面を提供する構造は、非常に堅く、（例えば、ＴＶまたは食器棚などの）実質的な負荷に耐えることができる。
【００１５】
好ましい実施態様において、外形要素は、（例えば１片のシートなどの、１片で形成される）一体成型体である。代替的に、外形要素は、２つ（またはそれ以上）のパーツからなってもよい。外形要素が一体成型体である場合、十分な程度の安定性を生成および与えることは簡単である。外形要素は、好ましくは金属、特にアルミニウムおよび／またはアルミニウム合金および／または鋼から作られる。“作られる”は、好ましくは全ての外形要素が当該材料からなることを意味すべきである。しかしながら、代替的な実施態様において、外形要素の一部分（例えば全体の重量の少なくとも５０％）だけが当該材料から作られる場合でも十分である。
【００１６】
少なくとも１つの固定面と、第１または第２フランジとの距離は、５〜３０ｍｍ、好ましくは１０〜２０ｍｍ、さらに好ましくは１２．５ｍｍであってもよい。外形要素は、１５ｃｍ〜４００ｃｍの長さを有してもよい。外形要素は、（例えば、ウェブおよび／または第１および／または第２フランジの最大幅で画定される）３０〜２５０ｍｍ、好ましくは５０〜１００ｍｍの最大幅を有してもよい。少なくとも１つの固定面は、１５〜４０ｍｍ、特に２０〜３０ｍｍ、好ましくは２５ｍｍの最大幅を有してもよい。外形要素は、０．３ｍｍ〜２ｍｍの（平均）厚を有してもよい。
【００１７】
本発明の独立した態様として、（特に上記の様な）外形要素を製造する方法が提案され、以下のステップを含む：
ａ）予備的フランジならびに予備的ウェブを含む、予備的外形要素を提供するステップ、
ｂ）予備的外形要素上、特にウェブ上および／または少なくとも１つのフランジの遠位端上に、少なくとも１つの追加固定面を形成するステップ。
【００１８】
ステップｂ）は、少なくとも１つの固定面を形成するために、予備的外形要素の一部分、特に予備的ウェブを圧延することを含んでもよい。代替的または追加的に、ステップｂ）は、固定面を形成するために、予備的外形要素の一部分、特に予備的ウェブを切り抜き、切り抜かれた部分を折り曲げることを含んでもよい。概して、外形要素は、圧延および／または切ることによって、（少なくとも一部分が）形成されてもよい。
【００１９】
本発明の独立した態様によれば、（上記の様な）外形要素、および／または、上記の様な方法によって製造された外形要素、ならびに、少なくとも１つの固定面および／または第１および／または第２フランジに固定される、少なくとも１つのウォールセクション、特にプラスターボードを含む、システムが提案される。少なくとも１つの固定面と、第１または第２フランジとの間の距離は、ウォールセクションの厚さ、特にプラスターボードの厚さに対応してもよい。
【００２０】
以下に、図面を参照して、本発明の好ましい実施態様が説明される。
【図面の簡単な説明】
【００２１】
【図１】図１は、本発明の外形要素の第１実施形態の平面図を示す。
【図２】図２は、図１の実施態様の斜位像を示す。
【図３】図３は、図１のＩＩＩ−ＩＩＩ線に沿った断面を示す。
【図４】図４は、図１の実施態様の側面図を示す。
【図５】図５は、図１のＶ−Ｖ線に沿った断面を示す。
【図６】図６は、本発明の第２実施態様の斜位像を示す。
【００２２】
【図７】図７は、図６の実施態様の側面図を示す。
【図８】図８は、それに取り付けられる２つのパネルを具備する図１に係る外形要素の実施態様を示す。
【図９】図９は、それに取り付けられる３つのパネルを具備する図６に係る外形要素の実施態様を示す。
【図１０】図１０は、本発明の外形要素の第３実施態様を示す。
【図１１】図１１は、本発明の外形要素の第４実施態様を示す。
【図１２】図１２は、本発明の外形要素の第５実施態様を示す。
【図１３】図１３は、７つのパネルを具備する本発明の外形要素の第３実施態様を示す。
【発明を実施するための形態】
【００２３】
図１〜５は、外形要素の第１実施態様を示す。外形要素は、第１フランジ１０、第２フランジ１１およびウェブ１２を含む。ウェブ１２は、タブ部分１４（図２、４および５）がウェブ１２から垂直方向に延伸するように、切り抜き１３（図１、２および５参照）を含む。タブ部分１４は、ウェブ１２からヒンジ接続される。ヒンジ軸は、図１および２における線１５によって画定される。線１５は、外形要素の縦軸方向に（実質的に）平行である。
【００２４】
タブ部分１４は、第１フランジ１０（および第２フランジ１１）に（実質的に）平行な、第１固定面１６を画定する。第１固定面１６は、フランジ１０に近接して位置付けられる。第２フランジ１１に近接して、さらなるタブ部分を提供することもできる（図示せず）。第２固定面１７は、第１フランジ１０の遠位端１９に位置付けられる突出部１８によって画定される。（長方形の）突出部１８は、第１フランジ１０に（実質的に）平行であり、（長方形で、フランジ１０に垂直である）接続部材２０によって、第１フランジ１０に接続される。
【００２５】
接続部材２０および突出部１８は、その上にパネルまたは同様のものが取り付けられてもよいステップを画定する。例えば、パネルは、ネジ、ボルトを介して、もしくは、接着または同様のものによって、第１または第２固定面１６、１７に取り付けられてもよい。第２フランジ１１の遠位端２１は、（第２フランジ１１に垂直な）折り曲げ部分２２を含む。折り曲げ部分２２を、突出部１８および接続部材２０に対応する構造によって置き換えることができる（図示せず）。
【００２６】
図６および７は、外形要素の第２実施態様を示す。第２実施態様の外形要素は、以下の差異を具備する第１実施態様として形成されてもよい。第１固定面１６は、ウェブ１２の一部分を圧延することによって形成される。したがって、第１固定面１６は、突出部２３を形成する外形要素材料の二重レイヤーによって画定される。突出部２３は、外形要素の長さ全体に沿って延伸する。突出部２３は、ウェブ１２に（実質的に）垂直（および、第１フランジ１０に平行）であり、第１フランジ１０に近接して位置付けられる。第２フランジ１１に近接して、対応する突出部２３を追加的または代替的に提供することもできる。さらに、第２固定面を第２フランジ１１に提供することもできる。
【００２７】
図８は、パネル２４、２５を具備する外形要素の第１実施態様の断面を示す。パネル２４は、固定手段（例えば、ねじ）２６によって、第１固定面１６に固定される。同様に、パネル２５は、固定手段２６（例えば、ねじ）によって、第２固定面１７に固定される。パネル２４の端部２７は、図８に示される外形要素と好ましくは同じ形状を有する、さらなる外形要素（図示せず）に固定されてもよい。したがって、パネル２４は両側を対応する外形要素に設置することができる。パネル２４、２５は、例えば、重量インテリア（例えば、ＴＶまたは食器棚）を支持するための横木パネルであってもよい。概して、パネル２４、２５は、ウォールパーティション（の一部分）を画定してもよい。
【００２８】
図９は、パネル２４、２５および３６を共に具備する外形要素の第２実施態様を示す。パネル２４および２５は、図８のように配置される。さらなるパネル３６は、固定手段２６（例えば、ねじ）によって、第１フランジ１０に固定され、パネル２４、２５に接するように第２レイヤーを画定する。図８、９に見られるように、パネル２４、２５の厚さ２８は、第１固定面１６、１７によって画定される平面と、第１フランジ１０によって画定される平面との間の距離２９に対応する。距離２９は、例えば１２．５ｍｍであってもよい。
【００２９】
図１０は、外形要素の第３実施態様の断面を示す。第３実施態様は、以下の差異を具備する第２実施態様として形成される。突出部２３に追加して、突出部３０が第２フランジ１１に近接して（圧延によって）提供される。突出部３０は、第３固定面３１を画定する。第２フランジ１１の遠位端２１には、第４固定面３２が位置付けられる。第４固定面３２は、第１フランジ１０の遠位端１９における突出部１８に類似した突出部３３の一部分である。
【００３０】
第１、第２および第３実施態様は、（一片の）一体成型体によって形成される。図１１は、（例えば、圧延によって形成される）２つのパーツからなる外形要素の第４実施態様を示す。第１パーツ３４は、（従来の）Ｃ外形要素であり、第２パーツ３５ａは、（帽子形状の）覆いである。第２パーツ３５ａは、第１および第２固定面１６、１７を画定する。第１パーツ３４および第２パーツ３５ａは、共に外形要素を形成する。
【００３１】
これは、第２パーツ３５ａが、（その最終状態で）第１パーツ３４に固定される覆いであることを意味する。第１パーツ３４および第２パーツ３５ａの間の固定は、接着（例えば、粘着テープ４２を介して）または他の手段（溶接など）によって達成できる。（図１２に示されるように）２つの第２（帽子形状の）パーツ３５ａ、３５ｂを提供することができる。かかるさらなる実施態様において、外形要素は、共に固定される３つのパーツ（Ｃ外形および２つの覆い３５ａ、３５ｂ）からなる。
【００３２】
覆い３５ａおよび３５ｂは、特に（粘着）テープを介して、第１パーツ３４のフランジ１０ａ、１１ａ（従来のＣ外形要素）に固定される。図１１および１２の覆い３５ａ、３５ｂは“帽子形状”を有し、これは、これらが中央部分４３、中央部分４３に隣接して垂直である２つの中間部分４４ａおよび４４ｂ、および、中間部分４４ａおよび４４ｂに隣接して垂直である固定部分４５ａおよび４５ｂを含むことを意味する。
【００３３】
図１１の覆い３５ａは、第１および第２固定面１６、１７および第１フランジ１０を画定する。第２フランジ１１は、（従来の）Ｃ外形要素３４のフランジ１１ａによって画定される。図１２の実施態様において、第１および第２固定面１６、１７は、（図１１の様に）覆い３５ａによって形成される。第２フランジ１１は、第２覆い３５ｂによって形成される。第１および第２覆い３５ａおよび３５ｂは、好ましくは同じ形状である。
【００３４】
（図１１および１２の）外形要素３４および覆い３５ａ、および／または、（図１２の）覆い３５ｂは、プラスターボードを固着するために使用される固定手段（例えば、ねじ）を介して共にさらに固着されてもよい（図１３と比較）。
【００３５】
図１３は、二重レイヤーパーティションウォールの一部分を示す。総じて、７つのパネル２４、２５、３６、３７、３８、３９および４０がある。パネル２４、２５、３７および３８は、パネル３６、３９と４０とによって画定される空洞４１内に設置される。
【００３６】
代替的に、レイヤー２４、２５、３７および３８は、省略されてもよい。したがって、（二重レイヤーパーティションウォールは必ずしも必要でない）一重レイヤーウォールが達成できる。パネル３９および４０は、１つの一重パネルによって置き換えられてもよい。パネル３６は、２つのパネル（第２フランジ１１に配置されるパネル３９および４０に類似）で置き換えることができる。図１３の外形要素は、任意の他の外形要素（例えば、図１１および１２の外形要素）で置き換えることができ、パネルの配置および数は適応できる。
【符号の説明】
【００３７】
１０          第１フランジ
１０ａ        第１フランジ
１１          第２フランジ
１１ａ        第２フランジ
１２          ウェブ
１３          切り抜き
１４          タブ
１５          線
１６          第１固定面
１７          第２固定面
【００３８】
１８          突出部
１９          遠位端
２０          接続部材
２１          遠位端
２２          折り曲げ部分
２３          突出部
２４          パネル
２５          パネル
２６          固定手段
２７          端部
【００３９】
２８          厚さ
２９          距離
３０          突出部
３１          第３固定面
３２          第４固定面
３３          突出部
３４          第１パーツ
３５ａ        第２パーツ
３５ｂ        第２パーツ
３６          パネル
【００４０】
３７          パネル
３８          パネル
３９          パネル
４０          パネル
４１          空洞
４２          テープ
４３          中央部分
４４ａ        中間部分
４４ｂ        中間部分
４５ａ        固定部分
４５ｂ        固定部分
【図１】
2020172852.tif 000003
【図２】
2020172852.tif 000004
【図３】
2020172852.tif 000005
【図４】
2020172852.tif 000006
【図５】
2020172852.tif 000007
【図６】
2020172852.tif 000008
【図７】
2020172852.tif 000009
【図８】
2020172852.tif 000010
【図９】
2020172852.tif 000011
【図１０】
2020172852.tif 000012
【図１１】
2020172852.tif 000013
【図１２】
2020172852.tif 000014
【図１３】
2020172852.tif 000015
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
本明細書に記載の発明。
【外国語明細書】
2020172852000001.pdf